【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
拡張クリアチャネルアセスメント（ＥＣＣＡ）動作のための時間期間を識別することと、
前記識別された時間期間に基づいてフレーム構造の特別サブフレームに含まれるガード期間部分を決定することと、
を備えるワイヤレス通信システムにおける特別サブフレームを構成する方法。
【請求項２】
前記ＥＣＣＡ動作のための前記時間期間は、１と上限の整数との間の範囲からランダムに選ばれた整数に基づいている、請求項１に記載の方法。
【請求項３】
時間期間を識別することは、クリアチャネルアセスメント（ＣＣＡ）観測時間に前記ランダムに選ばれた整数を掛けることにより、前記時間期間を計算することを含んでいる、請求項２に記載の方法。
【請求項４】
ガード期間を識別することが、フレームバイフレームベースにおいて動的に行なわれる、請求項３に記載の方法。
【請求項５】
識別することが、ノードに関連した整数をＣＣＡ観測時間に掛けることにより、前記時間期間を計算することを含んでいる、請求項１に記載の方法。
【請求項６】
前記特別サブフレームは、さらにダウンリンク（ＤＬ）部分およびアップリンク（ＵＬ）部分を含んでいる、請求項１に記載の方法。
【請求項７】
ガード期間部分を前記決定することは、
時間オフセットあるいは最小のガード期間部分の少なくとも１つ、または
サポートされたガード期間部分の１セット、
に基づいて前記ガード期間部分を決定することを含んでいる、請求項１に記載の方法。
【請求項８】
ガード期間部分を前記決定することは、サポートされたガード期間部分の１セットに基づいて前記ガード期間部分を決定することを含んでおり、前記方法は、ネットワークエンテティからの専用メッセージあるいはブロードキャストメッセージにおいてサポートされたガード期間部分の前記セットを送信することをさらに備えている、請求項１に記載の方法。
【請求項９】
前記特別サブフレームのＤＬ部分あるいはＵＬ部分のいずれかを決定することと、
前記決定されたガード期間部分に基づいて前記特別サブフレームの残りの部分を計算することと、
をさらに備え、好ましくは、前記特別サブフレームのＤＬ部分あるいはＵＬ部分のいずれかを決定することは、ブロードキャストメッセージあるいは専用メッセージ中で示された情報に基づいている、請求項１に記載の方法。
【請求項１０】
フレームにおけるガード期間部分を決定することは、フレームにおける２つ以上のガード期間を決定することを含んでおり、ここにおいて、２つ以上のガード期間の少なくとも１つはダウンリンクＥＣＣＡ動作用であり、また、前記２つ以上のガード期間の少なくとも１つはアップリンクＥＣＣＡ動作用である、請求項１に記載の方法。
【請求項１１】
前記フレームにおける前記２つ以上のガード期間の少なくとも１つは前記フレームに関連したパラメータに基づいて決定され、また、前記フレームにおける前記２つ以上のガード期間の少なくとも１つはノードに関連したパラメータに基づいて決定される、請求項１０に記載の方法。
【請求項１２】
ネットワークエンテティから受信されたシグナリングに基づいて、２つ以上の特別サブフレームに対応するサポートされたガード期間の２つ以上のセットを識別することをさらに備える、請求項１に記載の方法。
【請求項１３】
拡張クリアチャネルアセスメント（ＥＣＣＡ）動作のための時間期間を識別するための手段と、
前記識別された時間期間に基づいてフレーム構造の特別サブフレームに含まれるガード期間部分を構成するための手段と、
を備える、ワイヤレス通信システムにおいて特別サブフレームを構成するための装置。
【請求項１４】
請求項２〜１２のいずれかに記載の方法を行う手段をさらに備える、請求項１３に記載の装置。
【請求項１５】
ワイヤレス通信システムにおける特別サブフレームを構成するために実行可能なコードを記憶したコンピュータ可読媒体であって、請求項１〜１２のいずれかに記載の方法を実施するためのコードを備える、コンピュータ可読媒体。
【手続補正２】
【補正対象書類名】明細書
【補正対象項目名】０１１６
【補正方法】変更
【補正の内容】
【０１１６】
[00123]  先の開示は様々な実例となる態様を示しているが、様々な変更および修正が添付された請求項によって限定された範囲から外れずに、示された例に為され得ることは注意されるべきである。現在の開示は、特に示され他の例に単独で制限されたようには意図されない。例えば、もし別途に注記されなかったならば、ここに記載された開示の態様にしたがった方法の請求項の機能、ステップ、および／または動作は、何ら特定の順序で実行される必要はない。さらに、ある態様は、単数で記載または請求され得るが、単数への限定が明示的に述べられていなければ、複数が意図される。
以下に、本願の出願当初の特許請求の範囲に記載された発明を付記する。
［Ｃ１］
拡張クリアチャネルアセスメント（ＥＣＣＡ）動作のための時間期間を識別することと、
前記識別された時間期間に基づいてフレーム構造の特別サブフレームに含まれるガード期間部分を決定することと、
を備えるワイヤレス通信システムにおける特別サブフレームを構成する方法。
［Ｃ２］
前記ＥＣＣＡ動作のための前記時間期間は、１と上限の整数との間の範囲からランダムに選ばれた整数に基づいている、Ｃ１に記載の方法。
［Ｃ３］
時間期間を識別することは、クリアチャネルアセスメント（ＣＣＡ）観測時間に前記ランダムに選ばれた整数を掛けることにより、前記時間期間を計算することを含んでいる、Ｃ２に記載の方法。
［Ｃ４］
ガード期間を識別することが、フレームバイフレームベースにおいて動的に行なわれる、Ｃ３に記載の方法。
［Ｃ５］
識別することが、ノードに関連した整数をＣＣＡ観測時間に掛けることにより、前記時間期間を計算することを含んでいる、Ｃ１に記載の方法。
［Ｃ６］
前記特別サブフレームは、さらにダウンリンク（ＤＬ）部分およびアップリンク（ＵＬ）部分を含んでいる、Ｃ１に記載の方法。
［Ｃ７］
ガード期間部分を前記決定することは、時間オフセットあるいは最小のガード期間部分の少なくとも１つに基づいて前記ガード期間部分を決定することを含んでいる、Ｃ１に記載の方法。
［Ｃ８］
ガード期間部分を決定することは、サポートされたガード期間部分の１セットに基づいて前記ガード期間部分を決定することを含んでいる、Ｃ１に記載の方法。
［Ｃ９］
ネットワークエンテティからの専用メッセージあるいはブロードキャストメッセージにおいてサポートされたガード期間部分の前記セットを送信することをさらに備えている、Ｃ８に記載の方法。
［Ｃ１０］
前記特別サブフレームのＤＬ部分あるいはＵＬ部分のいずれかを決定することと、前記決定されたガード期間部分に基づいて前記特別サブフレームの残りの部分を計算することと、をさらに備える、Ｃ１に記載の方法。
［Ｃ１１］
前記特別サブフレームのＤＬ部分あるいはＵＬ部分のいずれかを決定することは、ブロードキャストメッセージあるいは専用メッセージ中で示された情報に基づいている、Ｃ１０に記載の方法。
［Ｃ１２］
フレームにおけるガード期間部分を決定することは、フレームにおける２つ以上のガード期間を決定することを含んでおり、ここにおいて、２つ以上のガード期間の少なくとも１つはダウンリンクＥＣＣＡ動作用であり、また、前記２つ以上のガード期間の少なくとも１つはアップリンクＥＣＣＡ動作用である、Ｃ１に記載の方法。
［Ｃ１３］
前記フレームにおける前記２つ以上のガード期間の少なくとも１つは前記フレームに関連したパラメータに基づいて決定され、また、前記フレームにおける２つ以上のガード期間の少なくとも１つはノードに関連したパラメータに基づいて決定される、Ｃ１２に記載の方法。
［Ｃ１４］
ネットワークエンテティから受信されたシグナリングに基づいて、２つ以上の特別サブフレームに対応するサポートされたガード期間の２つ以上のセットを識別することをさらに備える、Ｃ１に記載の方法。
［Ｃ１５］
拡張クリアチャネルアセスメント（ＥＣＣＡ）動作のための時間期間を識別するための手段と、
前記識別された時間期間に基づいてフレーム構造の特別サブフレームに含まれるガード期間部分を構成するための手段と、
を備える、ワイヤレス通信システムにおいて特別サブフレームを構成するための装置。
［Ｃ１６］
前記ＥＣＣＡ動作のための前記時間期間は、１と上限の整数との間の範囲からランダムに選ばれた整数に基づいている、Ｃ１５に記載の装置。
［Ｃ１７］
時間期間を識別するための前記手段は、クリアチャネルアセスメント（ＣＣＡ）観測時間に、前記ランダムに選ばれた整数を掛けることにより、前記時間期間を計算するための手段を含んでいる、Ｃ１６に記載の装置。
［Ｃ１８］
ガード期間を識別するための前記手段は、フレームバイフレームベースにおいて動的に実行される、Ｃ１７に記載の装置。
［Ｃ１９］
識別するための前記手段は、ノードに関連した整数をＣＣＡ観測時間に掛けることにより、前記時間期間を計算するための手段を含んでいる、Ｃ１５に記載の装置。
［Ｃ２０］
前記特別サブフレームは、さらにダウンリンク（ＤＬ）部分およびアップリンク（ＵＬ）部分を含んでいる、Ｃ１５に記載の装置。
［Ｃ２１］
拡張クリアチャネルアセスメント（ＥＣＣＡ）動作のための時間期間を識別するように構成された時間期間識別器と、
前記識別された時間期間に基づいて、フレーム構造の特別サブフレーム中に含まれたガード期間部分を構成するように構成されたガード期間部分マネージャと
を備える、ワイヤレス通信システムにおいて特別サブフレームを構成するための装置。
［Ｃ２２］
前記ＥＣＣＡ動作のための前記時間期間は、１と上限の整数との間の範囲からランダムに選ばれた整数に基づいている、Ｃ２１に記載の装置。
［Ｃ２３］
前記時間期間識別器は、クリアチャネルアセスメント（ＣＣＡ）観測時間に前記ランダムに選ばれた整数を掛けることにより、前記時間期間を計算するように構成された時間期間計算器を含んでいる、Ｃ２２に記載の装置。
［Ｃ２４］
前記時間期間識別器は、フレームバイフレームベースにおいて動的に実行される、Ｃ２３に記載の装置。
［Ｃ２５］
前記時間期間識別器は、ノードに関連した整数をＣＣＡ観測時間に掛けることにより、前記時間期間を計算するように構成された時間期間計算器を含んでいる、Ｃ２１に記載の装置。
［Ｃ２６］
ワイヤレス通信システムにおける特別サブフレームを構成するために実行可能なコードを記憶したコンピュータ可読媒体であって、
拡張クリアチャネルアセスメント（ＥＣＣＡ）動作のための時間期間を識別するためのコードと、
前記識別された時間期間に基づいてフレーム構造の特別サブフレームに含まれたガード期間部分を構成するためのコードと、
を備える、コンピュータ可読媒体。
［Ｃ２７］
前記ＥＣＣＡ動作のための前記時間期間は、１と上限の整数との間の範囲からランダムに選ばれた整数に基づいている、Ｃ２６に記載の非一時的なコンピュータ可読媒体。
［Ｃ２８］
時間期間を識別するための前記コードは、クリアチャネルアセスメント（ＣＣＡ）観測時間に前記ランダムに選ばれた整数を掛けることにより、前記時間期間を計算するためにコードを含んでいる、Ｃ２７に記載の非一時的なコンピュータ可読媒体。
［Ｃ２９］
ガード期間を識別するための前記コードは、フレームバイフレームベースにおいて動的に実行される、Ｃ２８に記載の非一時的なコンピュータ可読媒体。
［Ｃ３０］
識別のための前記コードは、ノードに関連した整数をＣＣＡ観測時間に掛けることにより、前記時間期間を計算するためにコードを含んでいる、Ｃ２６に記載の非一時的なコンピュータ可読媒体。